(57)【要約】【課題】温水タンクの過熱発生時にＰＬ事故および火災から使用者を保護するための冷温水器および浄水器の安全装置を提案する。【解決手段】本発明は、分離板３１上部に常温水が貯蔵され、分離板３１下部に冷却装置４０により冷却された冷水が貯蔵される冷水タンク３０と、分離板３１と連結した管路３３を介して供給された常温水を貯蔵する温水タンク５０と、この温水タンク５０に貯蔵された常温水を加熱する加熱装置５１とを備える。温水タンク５０は、貯蔵された常温水を設定された温度に常時維持するために加熱装置５１に供給される電気を管理する第２温度調節器５４と、加熱装置５１による温水タンク５０の過熱発生を遮断する第３温度調節器５５とを備える。冷水タンク３０は、分離板３１上部に貯蔵された常温水が設定温度を超えた場合に、加熱装置５１に供給される電気を遮断させる過熱遮断器３２を備える。【選択図】図１
2012246059.tif 000002
【特許請求の範囲】
【請求項１】
中間部に設置される分離板の上部には常温水が貯蔵され、分離板の下部には冷却装置によって設定された温度に冷却される冷水が貯蔵される冷水タンクと、
前記冷水タンクの分離板と連結した管路を介して供給された冷水タンクの常温水を貯蔵する温水タンクと、
前記温水タンクのうち、外側の所定位置に設置され、貯蔵された常温水を設定された温度に加熱する加熱装置と、
前記温水タンクに貯蔵された温水が設定された温度に常時維持されるように、加熱装置に供給される電気を管理する第２温度調節器と、
前記温水タンクに貯蔵された水がない場合または異常過熱の発生時に、加熱装置に供給される電気を遮断する第３温度調節器と、
前記冷水タンクの分離板の上部に貯蔵された常温水の温度が設定温度を超えれば、温水タンクの温度調節機能以上に過熱が発生して温水が冷水タンクの分離板の上部の常温水側に逆流しているものと判定し、前記加熱装置に供給される電気を遮断させる過熱遮断器と、
を含むことを特徴とする、冷温水器および浄水器の安全装置。
【請求項２】
前記第２温度調節器はバイメタルまたは温度センサが適用され、第２温度調節器は温水タンクに貯蔵された温水の温度に応じてヒステリシスによって加熱装置に供給される電気を制御し、温水の温度を設定温度に維持することを特徴とする、請求項１に記載の冷温水器および浄水器の安全装置。
【請求項３】
前記過熱遮断器は手動復帰温度調節器が適用されることを特徴とする、請求項１に記載の冷温水器および浄水器の安全装置。
【請求項４】
前記過熱遮断器は、冷水タンクの分離板の上部に貯蔵された常温水の温度が単位時間あたり一定の温度以上に上昇すれば、温水タンクの温度調節機能の異常による過熱発生として判定することを特徴とする、請求項１に記載の冷温水器および浄水器の安全装置。
【請求項５】
前記過熱遮断器は、温水タンクの温度調節機能の異常が判定されれば断線し、加熱装置に供給される電気を遮断することを特徴とする、請求項１に記載の冷温水器および浄水器の安全装置。
【請求項６】
冷媒を圧縮循環させて冷水タンクに貯蔵された冷水を冷却させるコンプレッサと、
冷水の温度に応じてコンプレッサをオン／オフ動作させる第１温度調節器と、
温水の使用可否を選択するスイッチと、
温水タンクに貯蔵された温水を加熱するヒータと、
温水の温度に応じてヒータをオン／オフ動作させる第２温度調節器と、
温水タンクに貯蔵された水がない場合または異常過熱の発生時に、ヒータに供給される電気を遮断する第３温度調節器と、
冷水タンクに貯蔵された常温水の温度を検出し、前記第２温度調節器の故障が判定されれば断線し、前記ヒータに供給される電気を遮断する過熱遮断器と、
を含む、冷温水器および浄水器の安全装置。
【請求項７】
前記コンプレッサと第１温度調節器は、直列に結線され、常用電源にプラグイン接続されるパワーコードの両端に結線され、
ヒータと第２温度調節器、第３温度調節器、および過熱遮断器は、直列に結線され、前記パワーコードの両端に結線されることを特徴とする、請求項６に記載の冷温水器および浄水器の安全装置。
【請求項８】
前記過熱遮断器は、冷水タンクに貯蔵された常温水が設定された温度を超えれば、温水タンクに貯蔵された温水の過熱による逆流発生として判定し、前記ヒータに供給される電気を遮断することを特徴とする、請求項６に記載の冷温水器および浄水器の安全装置。
【請求項９】
前記過熱遮断器は、冷水タンクに貯蔵された常温水の単位時間あたりの上昇する温度変化が設定値を超えれば、第２温度調節器の故障として判定し、ヒータに供給される電気を遮断することを特徴とする、請求項６に記載の冷温水器および浄水器の安全装置。
【請求項１０】
前記過熱遮断器の感知温度範囲は、設定に応じて可変することを特徴とする、請求項６に記載の冷温水器および浄水器の安全装置。
【請求項１１】
冷温水器および浄水器の動作条件を設定する設定部と、
冷水タンクの分離板の下部に貯蔵された冷水の温度を検出する第１温度検出部と、
温水タンクに貯蔵された温水の温度を検出する第２温度検出部と、
温水タンクの温度を検出する第３温度検出部と、
冷水タンクの分離板の上部に貯蔵された常温水の温度を検出する第４温度検出部と、
第１温度検出部で検出された冷水の温度と第２温度検出部で検出された温水の温度に応じてコンプレッサおよびヒータの動作を制御して冷水および温水の温度を設定された温度に維持し、第４温度検出部で検出された冷水タンクに貯蔵された常温水の温度が設定された一定温度を超えた状態であれば、温水タンクの温度調節機能以上に過熱が発生しているものと判断し、ヒータに供給される電気を遮断し、温水タンクの温度調節機能異常メッセージを表示部によって出力する制御部と、
を含む、冷温水器および浄水器の安全装置。
【請求項１２】
前記設定部は、冷温水器および浄水器の使用による電源オン／オフ、冷水および温水の温度条件、温水の使用可否、就寝機能の使用可否を設定することを特徴とする、請求項１１に記載の冷温水器および浄水器の安全装置。
【請求項１３】
前記設定部は、冷温水器および浄水器の前面部パネルの所定位置に設置され、タッチパネルとして表示部に一体に構成されることを特徴とする、請求項１１に記載の冷温水器および浄水器の安全装置。
【発明の詳細な説明】
【技術分野】
【０００１】
本発明は、冷温水器および浄水器の安全装置に関し、より詳細には、温水タンクの過熱発生時にＰＬ事故および火災から使用者を保護するための冷温水および浄水器の安全装置に関する。
【背景技術】
【０００２】
上水源の深刻な汚染により、家庭やオフィスおよび事業所などでは上水道を飲料水として使用せず、市販の水を購入して飲料水として使用したり、上水道に浄水器を連結して浄水した水を飲料水として使用したりしている。
【０００３】
浄水器は、浄水されていない状態の上水道水を、不織布フィルタ、プリカーボンフィルタ、中空糸膜フィルタ、ポストカーボンフィルタなどに選択的に順に通過させながら浄水させることにより、飲用が可能な衛生的な水を提供する。
【０００４】
したがって、浄水された水を所定温度条件に急速に冷却したり加熱したりすることによって冷水や温水として飲用できるようにする冷温水器および浄水器が広く普及されて用いられている。
【０００５】
冷温水器および浄水器は、水槽から供給された水あるいはフィルタを介して浄水された一定量の水を貯蔵することができる貯蔵タンクが内部に設置される。
【０００６】
前記貯蔵タンクは、冷水タンクと温水タンクに区分される。
【０００７】
前記冷水タンクは、中間に設置される分離板を間におき、その上部には常温水が貯蔵され、その下部には冷却装置によって設定された所定温度に冷却された冷水が貯蔵される。
【０００８】
前記温水タンクは、冷水タンクの下部に位置してもよく、冷水タンクの分離板に連結した管路を介して供給された冷水タンクの常温水を貯蔵し、この常温水を加熱装置によって設定された所定温度に加熱した温水が貯蔵される。
【０００９】
ここで、冷水とは冷却装置の動作によって冷却された水を意味し、温水とはヒータの発熱によって加熱された水を意味する。
【００１０】
前記温水タンクに貯蔵された温水は、所定位置に設置されるセンサにより、設定された一定温度を常時維持することができる。
【００１１】
しかし、冷温水器の耐久進行や内外部的な要因による過電流の油圧およびその他の原因により、温度を調節するセンサの故障による温度調節機能の喪失が発生することがある。
【００１２】
温水タンクの温度調節機能が喪失した場合、温水タンクに貯蔵された温水が過熱され、この過熱された熱水が分離板に連結した管路を介して冷水タンクに逆流する問題が発生し、冷水タンクに逆流した温水は常温水と混ざって熱損失を発生させるため、冷却装置による冷却に多くのエネルギー浪費を招くようになる。
【００１３】
また、常温水および冷水の温度を要求される設定温度に維持することができず、製品に対する顧客の不満を招くようになる。
【００１４】
また、温水の過熱による体積膨張により、温水タンクと温水コックとを連結する管路が破損されるようになる。
【００１５】
また、温水コックを介して過熱した温水を排出する場合、高い圧力によって排出量を調節することができず、過熱した温水によって火傷を負う危険が存在するようになる。
【００１６】
さらに、温水タンクの温度調節機能の喪失によって過熱される場合、火災に連結し得るという深刻な危険が存在するようになる。
【発明の概要】
【発明が解決しようとする課題】
【００１７】
本発明は、上述したような問題点を解決するために提案されたものであって、本発明は、冷水タンクの温度をモニタリングして温水タンクの過熱可否を検出し、過熱が検出されれば電気供給を遮断し、ＰＬ（Ｐｒｏｄｕｃｔ  Ｌｉａｂｉｌｉｔｙ）事故の発生を事前に予防できるようにする冷温水器および浄水器の安全装置を提供することを目的とする。
【課題を解決するための手段】
【００１８】
本発明の一実施形態によれば、中間部に設置される分離板の上部には常温水が貯蔵され、分離板の下部には冷却装置によって設定された温度に冷却される冷水が貯蔵される冷水タンクと、前記冷水タンクの分離板と連結した管路を介して供給された冷水タンクの常温水を貯蔵する温水タンクと、前記温水タンクのうち、外側の所定位置に設置され、貯蔵された常温水を設定された温度に加熱する加熱装置と、前記温水タンクに貯蔵された温水が設定された温度に常時維持されるように、加熱装置に供給される電気を管理する第２温度調節器と、前記温水タンクに貯蔵された水がない場合または異常過熱の発生時に、加熱装置に供給される電気を遮断する第３温度調節器と、前記冷水タンクの分離板の上部に貯蔵された常温水の温度が設定温度を超えれば、温水タンクの温度調節機能以上に過熱が発生して温水が冷水タンクの分離板の上部の常温水側に逆流しているものと判定し、前記加熱装置に供給される電気を遮断させる過熱遮断器と、を含む、冷温水器および浄水器の安全装置が提供されてもよい。
【００１９】
前記第２温度調節器はバイメタルまたは温度センサが適用され、第２温度調節器は温水タンクに貯蔵された温水の温度に応じてヒステリシスによって加熱装置に供給される電気を制御し、温水の温度を設定温度に維持してもよい。
【００２０】
前記過熱遮断器は、手動復帰温度調節器が適用されてもよい。
【００２１】
また、前記過熱遮断器は、冷水タンクの分離板の上部に貯蔵された常温水の温度が単位時間あたり一定の温度以上に上昇すれば、温水タンクの温度調節機能の異常による過熱発生として判定してもよい。
【００２２】
また、前記過熱遮断器は、温水タンクの温度調節機能の異常が判定されれば断線し、加熱装置に供給される電気を遮断してもよい。
【００２３】
また、本発明の他の実施形態によれば、冷媒を圧縮循環させて冷水タンクに貯蔵された冷水を冷却させるコンプレッサと、冷水の温度に応じてコンプレッサをオン／オフ動作させる第１温度調節器と、温水の使用可否を選択するスイッチと、温水タンクに貯蔵された温水を加熱するヒータと、温水の温度に応じてヒータをオン／オフ動作させる第２温度調節器と、温水タンクに貯蔵された水がない場合または異常過熱の発生時に、ヒータに供給される電気を遮断する第３温度調節器と、冷水タンクに貯蔵された常温水の温度を検出し、前記第２温度調節器の故障が判定されれば断線し、前記ヒータに供給される電気を遮断する過熱遮断器と、を含む、冷温水器および浄水器の安全装置が提供されてもよい。
【００２４】
前記コンプレッサと第１温度調節器は、直列に結線され、常用電源にプラグイン接続されるパワーコードの両端に結線され、ヒータと第２温度調節器、第３温度調節器、および過熱遮断器は、直列に結線され、前記パワーコードの両端に結線されてもよい。
【００２５】
前記過熱遮断器は、冷水タンクに貯蔵された常温水が設定された温度を超えれば、温水タンクに貯蔵された温水の過熱による逆流発生として判定し、前記ヒータに供給される電気を遮断してもよい。
【００２６】
また、前記過熱遮断器は、冷水タンクに貯蔵された常温水の単位時間あたり上昇する温度変化が設定値を超えれば、第２温度調節器の故障として判定し、ヒータに供給される電気を遮断してもよい。
【００２７】
また、前記過熱遮断器の感知温度範囲は、設定に応じて可変してもよい。
【００２８】
本発明のさらに他の一実施形態によれば、冷温水器および浄水器の動作条件を設定する設定部と、冷水タンクの分離板の下部に貯蔵された冷水の温度を検出する第１温度検出部と、温水タンクに貯蔵された温水の温度を検出する第２温度検出部と、温水タンクの温度を検出する第３温度検出部と、冷水タンクの分離板の上部に貯蔵された常温水の温度を検出する第４温度検出部と、第１温度検出部で検出された冷水の温度と第２温度検出部で検出された温水の温度に応じてコンプレッサおよびヒータの動作を制御して冷水および温水の温度を設定された温度に維持し、第４温度検出部で検出された冷水タンクに貯蔵された常温水の温度が設定された一定温度を超えた状態であれば、温水タンクの温度調節機能以上に過熱が発生しているものと判断し、ヒータに供給される電気を遮断し、温水タンクの温度調節機能異常メッセージを表示部によって出力する制御部と、を含む、冷温水器および浄水器の安全装置が提供されてもよい。
【００２９】
前記設定部は、冷温水器および浄水器の使用による電源オン／オフ、冷水および温水の温度条件、温水の使用可否、就寝機能の使用可否を設定してもよい。
【００３０】
前記設定部は、冷温水器および浄水器の前面部パネルの所定位置に設置され、タッチパネルとして表示部に一体に構成されてもよい。
【発明の効果】
【００３１】
本発明の実施形態によれば、冷水タンクの温度をモニタリングし、温水タンクの過熱によって温水が逆流しているものと判断されれば加熱機構の動作を遮断し、それに対するメッセージを出力することにより、迅速な修理交換が行われるようにすることができる。
【００３２】
また、本発明の実施形態によれば、温水の過熱を事前に遮断し、製品の使用に安全性および信頼性を提供することができる。
【図面の簡単な説明】
【００３３】
【図１】本発明の実施形態に係る冷温水器および浄水器の構造を示す図である。
【図２】本発明の実施形態に係る冷温水器および浄水器の安全装置に対する結線構造を示す図である。
【図３】本発明の他の実施形態に係る冷温水器および浄水器の安全装置を概略的に示す図である。
【発明を実施するための形態】
【００３４】
以下、添付の図面を参照しながら、本発明の一実施形態について、本発明が属する技術分野において通常の知識を有する者が容易に実施できるように詳細に説明する。
【００３５】
本発明は多様に相違した形態で実現することができ、ここで説明する実施形態に限定されることはない。なお、図面において、本発明を明確に説明するために不必要な部分は省略している。
【００３６】
図１は、本発明の実施形態に係る冷温水器および浄水器の構造を示す図である。
【００３７】
図１を参照すれば、本発明の実施形態に係る冷温水器および浄水器は、ハウジング２０、冷水タンク３０、冷却装置４０、および温水タンク５０を含む。
【００３８】
ハウジング２０は所定の形状、例えば直六面体の形状に形成され、上面部に水槽１０の載置を安定に支持するウォータガード２１が設置される。
【００３９】
前記ウォータガード２１の所定位置には、水槽１０から水が円滑に流出するように冷水タンク３０の空気を排出させるエアフィルタが設置される。
【００４０】
冷水タンク３０は一定の容積を有し、前記ウォータガード２１に載置された水槽１０から流出した水が供給されてこの水を貯蔵する。冷水タンク３０の下側外部には、貯蔵した水を冷却させることができる冷却装置４０が結合されている。
【００４１】
前記冷水タンク３０は、その内側の中間部に分離板３１が設置される。冷水タンク３０には、分離板３１を間におき、その上部には常温水が貯蔵され、その下部には冷却装置４０によって設定された所定温度に冷却された冷水が貯蔵される。
【００４２】
前記冷水タンク３０で設定された所定温度に冷却された冷水は、冷水タンク３０に連結された管路３４の一側端部に結合される冷水コック３５を介して排出される。
【００４３】
冷却装置４０は、熱交換により、冷水タンク３０の下部に貯蔵された水を設定された温度に冷却させる。
【００４４】
前記冷却装置４０は、冷媒を高圧で圧縮させるコンプレッサ４１、コンプレッサ４１で圧縮した高圧の冷媒を液化させる凝縮器４２、前記凝縮器４２で液化した冷媒を減圧させる毛細管４３、前記冷水タンク３０の下部に所定回数で巻線され、前記毛細管４３から供給された冷媒を気化させ、熱交換によって冷水タンク３０の下部に貯蔵された水を冷却させる蒸発器４４で構成される。
【００４５】
前記冷却装置４０は、このような構成を有する冷凍サイクルの代わりに、熱電冷却素子が適用されてもよい。
【００４６】
温水タンク５０は一定の容積を有して冷水タンク３０の下方に位置してもよく、冷水タンク３０の分離板３１と連結した管路３３を介して冷水タンク３０の常温水が供給されてこの常温水を貯蔵する。温水タンク５０には、管路５２を介して温水コック５３が連結される。
【００４７】
前記温水タンク５０のうち、外側の所定位置に加熱装置５１が設置される。加熱装置５１は温水タンク５０に貯蔵された常温水を設定された所定温度に加熱させる。
【００４８】
前記加熱装置５１は、通常のヒータが適用されてもよい。
【００４９】
前記温水タンク５０の外側の所定位置には、温水タンク５０に貯蔵された常温水の温度が設定された一定温度に常時維持されるようにする第２温度調節器５４が設置される。
【００５０】
前記第２温度調節器５４はバイメタルまたは温度センサが適用されてもよく、温水タンク５０に貯蔵された常温水の温度を約８３〜９８℃に常時維持する機能を備える。
【００５１】
前記第２温度調節器５４は、加熱装置５１によって温水タンク５０の温度が設定された第１基準温度を超えれば加熱装置５１に供給される電気を遮断し、温水タンク５０の温度が設定された第２基準温度未満に下降すれば加熱装置５１に電気を供給する。
【００５２】
前記第２温度調節器５４は、温水タンク５０の温度に対してヒステリシスによって加熱装置５１に電気を供給したり遮断したりする。
【００５３】
前記第２温度調節器５４の設定温度範囲は、多様に可変してもよい。
【００５４】
また、前記温水タンク５０の外側の所定位置には、温水タンク５０に貯蔵された水がない場合または異常過熱の発生時に、加熱装置５１による過熱の発生を遮断させることができる第３温度調節器５５が設置される。
【００５５】
前記第３温度調節器５５はバイメタルまたは温度センサが適用されてもよく、温水タンク５０に貯蔵された水がない場合または異常過熱の発生時に、温水タンク５０の温度が約１００〜１３０℃として検出される場合にはオープンし、加熱装置５１に供給される電気を遮断する。
【００５６】
前記第３温度調節器５５は、加熱装置５１によって温水タンク５０の温度が設定された第３基準温度を超えれば加熱装置５１に供給される電気を遮断し、温水タンク５０の温度が設定された第４基準温度未満に下降すれば加熱装置５１に電気を供給する。
【００５７】
前記第３温度調節器５５が過熱として判断する温度範囲は、多様に可変してもよい。
【００５８】
したがって、過熱による火災およびＰＬ（Ｐｒｏｄｕｃｔ  Ｌｉａｂｉｌｉｔｙ）事故を事前に予防することができる。
【００５９】
また、前記冷水タンク３０において、常温水が貯蔵される分離板３１の上部外側の所定位置には過熱遮断器３２が設置される。
【００６０】
前記冷水タンク３０の上部外側の所定位置に設置される過熱遮断器３２は、分離板３１の上部に貯蔵された常温水の温度をモニタリングし、この常温水の温度が上昇して設定された基準温度を超えれば、温水タンク５０の過熱によって加熱された温水が管路３３を介して逆流しているものと判断し、温水タンク５０の過熱によるＰＬ事故を事前に予防するために、加熱装置５１に供給される電気を遮断する。
【００６１】
前記過熱遮断器３２は手動復帰温度調節器（Ｔｈｅｒｍａｌ  Ｆｕｓｅ）が適用されてもよく、冷水タンク３０の常温水の温度が設定された一定温度、例えば５０〜８０℃として検出されれば断線し、加熱装置５１に供給される電気を遮断する。
【００６２】
前記過熱遮断器３２の断線基準温度の範囲は、使用者の設定に応じて多様に可変してもよい。
【００６３】
すなわち、過熱遮断器３２は、温水タンク５０に設置された第２温度調節器５４および第３温度調節器５５の故障によって温水タンク５０が過熱され、これによって加熱された温水が管路３３を介して冷水タンク３０の分離板３１上部の常温水側に逆流して、この常温水の温度が上昇して設定された温度を超える場合に、断線し、加熱装置５１に供給される電気を基本的に遮断する。
【００６４】
したがって、ＰＬ事故を事前に予防し、冷温水器および浄水器の使用に信頼性を提供する。
【００６５】
図２は、本発明の実施形態に係る冷温水器および浄水器の安全装置に対する結線構造を示す図である。
【００６６】
図２を参照すれば、本発明の実施形態に係る冷温水器および浄水器の安全装置の結線構造は、パワーコード１０１、コンプレッサ１０２、第１温度調節器１０３、スイッチ１０４、ヒータ１０５、第２温度調節器１０６、第３温度調節器１０７、および過熱遮断器１０８および表示ランプ１０９を含む。
【００６７】
パワーコード１０１は常用電源とプラグイン（ＰｌｕｇＩｎ）方式によって接続され、冷温水器および浄水器に構成される各負荷要素に必要な電気を供給する。
【００６８】
コンプレッサ１０２は冷媒を圧縮し、圧縮した冷媒を冷却器に循環させることにより、冷水タンクに貯蔵された常温水を設定温度の条件で冷却させる。
【００６９】
第１温度調節器１０３は冷水の温度を検出し、設定された温度の条件に応じてコンプレッサ１０２に電気を供給したり遮断したりする機能を備える。
【００７０】
したがって、コンプレッサ１０２は、第１温度調節器１０３を介して供給される電気によってオン／オフ作動し、冷水の温度を設定された一定温度に常時維持する。
【００７１】
前記コンプレッサ１０２と第１温度調節器１０３は直列に連結され、パワーコード１０１の両端に接続される。
【００７２】
また、ヒータ１０５と第２温度調節器１０６、第３温度調節器１０７および過熱遮断器１０８は直列に連結され、パワーコード１０１の両端に接続される。
【００７３】
スイッチ１０４は使用者によってオン／オフスイッチングされ、加熱された温水の使用可否を選択できるようにする。
【００７４】
ヒータ１０５は温水タンクの外側の所定位置に所定の形態で結合され、温水タンクに貯蔵された水を加熱する。
【００７５】
第２温度調節器１０６は温水タンクの外側の所定位置に設置され、ヒータ１０５によって加熱された温水の温度に応じてヒータ１０５に電気を供給したり遮断させたりする機能を備える。
【００７６】
前記第２温度調節器１０６は、加熱された温水の温度が設定された一定温度を常時維持するように機能する。例えば加熱された温水の温度が８０〜９８℃の条件を維持できるように、ヒータ１０５に供給される電気を制御する。
【００７７】
第３温度調節器１０７は、温水タンクの温度が設定された一定温度以上に上昇すれば、温水タンクに貯蔵された水がない状態であると判断し、温水タンクの過熱を防ぐために、ヒータ１０５に供給される電気を遮断する。
【００７８】
前記第３温度調節器１０７は、温水タンクの温度が、例えば１００〜１３０℃として検出されれば、温水タンクに貯蔵された水がなかったり異常過熱が発生しているものと判断し、ヒータ１０５に供給される電気を遮断し、火災およびＰＬ事故の発生を事前に予防する。
【００７９】
過熱遮断器１０８は、冷水タンクの分離板の上部に貯蔵された常温水の温度を検出し、この常温水の温度が設定された一定温度を超えているものと判断されれば、温水タンクから逆流した温水の影響であると判断し、温水タンクの継続する過熱を防ぐために、ヒータ１０５に供給される電気を遮断する。
【００８０】
前記過熱遮断器１０８は手動復帰温度調節器が適用されてもよく、冷水タンクの分離板３１の上部に貯蔵された常温水の温度が設定された一定温度を超える場合には断線し、ヒータ１０５に供給される電気を遮断する。
【００８１】
前記過熱遮断器１０８は、冷水タンクの常温水温度が、例えば５０〜８０℃として検出されれば断線し、ヒータ１０５に供給される電気を遮断する。
【００８２】
前記過熱遮断器１０８の断線基準温度の範囲は、使用者の設定に応じて多様に可変してもよい。
【００８３】
前記過熱遮断器１０８は、冷温水器および浄水器の耐久進行や内外部的な要因による過電流の油圧およびその他の原因により、温水タンクに設置された第２温度調節器１０６および第３温度調節器１０７の故障で温度調節機能が喪失した場合に、ヒータ１０５の過熱を事前に遮断する。
【００８４】
すなわち、過熱遮断器１０８は、温水タンクに設置された第２温度調節器１０６および第３温度調節器１０７の故障によって温水タンクが過熱し、これによって加熱された温水が管路を介して冷水タンクの分離板上部の常温水側に逆流して、この常温水の温度が上昇し、設定された温度を超えた場合に、断線し、ヒータ１０５に供給される電気を基本的に遮断する。
【００８５】
前記過熱遮断器１０８は、冷水タンクの分離板の上部に貯蔵された常温水の単位時間あたりの温度上昇変化値が設定された値を超えれば、温水タンクの過熱によって温水が逆流しているものと判定する。
【００８６】
したがって、ＰＬ事故を事前に予防し、冷温水器および浄水器の使用に信頼性を提供することができる。
【００８７】
表示ランプ１０９は、電気の供給可否を示す第１ランプ（ＬＥＤ１）、ヒータ動作を示す第２ランプ（ＬＥＤ２）、および冷却動作を示す第３ランプ（ＬＥＤ３）を含み、冷温水器および浄水器の全般的な動作を示す。
【００８８】
図３は、本発明の他の実施形態に係る冷温水器および浄水器の安全装置を概略的に示す図である。
【００８９】
図３を参照すれば、本発明の他の実施形態に係る冷温水器および浄水器の安定装置は、設定部２０１、第１温度検出部２０２、第２温度検出部２０３、第３温度検出部２０４、第４温度検出部２０５、制御部２０６、表示部２０７、第１駆動部２０８、および第２駆動部２０９を含む。
【００９０】
設定部２０１は、使用者が設定する冷温水器および浄水器の動作条件を検出して制御部２０６に提供する。
【００９１】
前記設定部２０１では、冷温水器および浄水器の使用による電源オン／オフ、冷水の温度条件、温水の使用可否、温水の温度条件、就寝機能の使用可否などを含む使用による諸般の動作条件を設定されてもよい。
【００９２】
前記設定部２０１は、冷温水器および浄水器の前面部パネルまたは後面部パネルの所定位置に設置されてもよく、タッチパネルとして表示部２０７と一体に構成されてもよい。
【００９３】
第１温度検出部２０２は、冷水タンクの分離板の下部外側の所定位置に設置され、冷却装置の動作によって冷却された冷水の温度を検出し、それに対する情報を制御部２０６に提供する。
【００９４】
第２温度検出部２０３は、温水タンクの第１位置に装着され、加熱装置の動作によって加熱された温水の温度を検出し、それに対する情報を制御部２０６に提供する。
【００９５】
第３温度検出部２０４は、温水タンクの第２位置に装着され、加熱装置の動作によって加熱された温水タンクの温度を検出し、それに対する情報を制御部２０６に提供する。
【００９６】
第４温度検出部２０５は、冷水タンクの分離板の上部外側の所定位置に設置され、冷水タンクの分離板の上部に貯蔵された常温水の温度を検出し、それに対する情報を制御部２０６に提供する。
【００９７】
制御部２０６は、設定部２０１によって設定される条件により、冷水および温水の温度を維持する動作と全般的な運転を制御する。
【００９８】
前記制御部２０６は、第１温度検出部２０２で検出された冷水の温度に応じて第１駆動部２０８によってコンプレッサの動作を制御し、冷水の温度を設定された温度に維持する。
【００９９】
前記制御部２０６は、第２温度検出部２０３で検出された温水の温度に応じて第２駆動部２０９によってヒータに供給される電流量を制御し、温水の温度を設定された温度に維持する。
【０１００】
前記制御部２０６は、第３温度検出部２０４で検出された温水タンクの温度が設定された温度以上であれば、温水タンクに貯蔵された水がなかったり異常高温状態として判断し、過熱を防ぐために、第２駆動部２０９によってヒータの発熱動作をオフする。
【０１０１】
前記制御部２０６は、第４温度検出部２０５で検出された冷水タンクの分離板の上部に貯蔵された常温水の温度が設定された一定温度を超えた状態であれば、温水タンクの温度調節機能以上に過熱した温水が冷水タンクに逆流しているものと判断し、第２駆動部２０９によってヒータに供給される電気を遮断する。
【０１０２】
このとき、前記制御部２０６は、表示部２０７によって温水タンクの温度調節機能に異常があることを通知するメッセージを出力し、迅速な修理交換が行われるようにする。
【０１０３】
表示部２０７は、前記制御部２０６の制御により、使用者が設定する冷温水器および浄水器の使用条件と現在の動作状態を設定された所定の方式によって表示する。
【０１０４】
また、表示部２０７は、本発明に係る冷温水器および浄水器の使用において、任意の部分に異常が発生した場合には該当するメッセージを出力し、迅速な修理交換が行われるようにする。
【０１０５】
第１駆動部２０８は、制御部２０６から出力された制御信号に応じてコンプレッサを動作させ、冷水タンクの下部に貯蔵された常温水を設定された温度の条件に冷却する。
【０１０６】
第２駆動部２０９は、制御部２０６から出力された制御信号に応じてヒータに供給される電流量を調整し、温水タンクに貯蔵された常温水を設定された温度の条件に加熱する。
【０１０７】
上述したような機能を含んで構成される本発明の他の実施形態に係る冷温水器および浄水器の安全装置は、マイコンを適用したものであって、マイコンの制御によって常温水の温度調節と安全機能が実行されるようにするものであるが、その動作は次のように実行される。
【０１０８】
使用者が設定部２０１によって電源オンを選択し、冷水および温水の温度と運転条件を設定すれば、制御部２０６は設定された運転条件を満たすための動作を開始する。
【０１０９】
制御部２０６は、第１温度検出部２０２によって冷水タンクの分離板の下部に貯蔵された水の温度を検出し、第１駆動部２０８によってコンプレッサの動作を制御することにより、冷水の温度が設定された温度の条件に常時維持されるようにする。
【０１１０】
例えば、冷水の温度が設定された温度を超えれば、第１駆動部２０８によってコンプレッサを動作させ、冷媒の循環による熱交換によって冷水を冷却させ、冷水の温度が設定された温度未満に冷却されれば、第１駆動部２０８によってコンプレッサの動作を中止させる。
【０１１１】
したがって、冷水の温度に対してヒステリシスによってコンプレッサを動作オン／オフさせ、冷水の温度が設定された温度条件に常時維持できるようにする。
【０１１２】
また、制御部２０６は、第２温度検出部２０３によって温水タンクに貯蔵された温水の温度を検出し、第２駆動部２０９によってヒータに供給される電流量を制御することにより、温水の温度が設定された温度の条件に常時維持されるようにする。
【０１１３】
例えば、温水の温度が設定された温度未満として検出されれば、第２駆動部２０９によってヒータに供給される電流量を増加させ、ヒータの発熱量を高めることによって温水を加熱し、温水の温度が設定された温度を超過したと検出されれば、第２駆動部２０８によってヒータに供給される電流を遮断してヒータの発熱を中止させる。
【０１１４】
したがって、温水の温度に対してヒステリシスによってヒータをオン／オフさせ、温水の温度が設定された温度条件に常時維持できるようにする。
【０１１５】
また、前記制御部２０６は、第３温度検出部２０４で検出された温水タンクの温度が設定された温度以上であれば、温水タンクに貯蔵された水がなかったり異常高温状態として判断し、過熱を防ぐために、第２駆動部２０９によってヒータの発熱をオフする。
【０１１６】
また、前記制御部２０６は、第４温度検出部２０５で検出された冷水タンクの分離板の上部に貯蔵された常温水の温度が設定された一定温度を超えた状態であれば、温水タンクの温度調節機能以上に過熱された温水が冷水タンクに逆流しているものと判断し、第２駆動部２０９によってヒータに供給される電流を遮断する。
【０１１７】
このとき、前記制御部２０６は、表示部２０７によって温水タンクの温度調節機能に異常があることを通知するメッセージを出力し、迅速な修理交換が行われるようにする。
【０１１８】
以上、本発明について限定された実施形態と図面を参照しながら説明したが、本発明がこれによって限定されることはなく、本発明が属する技術分野において通常の知識を有する者により、本発明の技術思想と添付の特許請求の範囲の均等範囲内で多様な修正および変形が可能であることはもちろんである。
【符号の説明】
【０１１９】
１０：水槽
２０：ハウジング
３０：冷水タンク
３２、１０８：過熱遮断器
４０：冷却装置
５０：温水タンク
１０１：パワーコード
１０２：コンプレッサ
１０３：第１温度調節器
１０４：スイッチ
１０５：ヒータ
１０６：第２温度調節器
１０７：第３温度調節器
１０９：表示ランプ
【図１】
2012246059.tif 000003
【図２】
2012246059.tif 000004
【図３】
2012246059.tif 000005